(57)【特許請求の範囲】
【請求項１】
生体に当てられるプローブ面に、互いに極性が異なる一方電極と他方電極とが備えられた美容装置において、
複数の前記一方電極が、前記プローブ面における中央から等距離であって当該プローブ面の周端部に配置されると共に、隣接する前記一方電極同士が互いに等間隔に配置され、
前記他方電極が、前記一方電極を中心とした円周上であって、前記中央から、隣接する前記一方電極同士の中心を通って前記周端部まで伸びた形状であり、
前記周端部において、前記一方電極および前記他方電極の端部を頂点とした正六角形または正八角形が形成される配置で、かつ、前記一方電極と前記他方電極の端部とが互い違いに隣接して配置された、
ことを特徴とする美容装置。
【請求項２】
前記一方電極と前記他方電極との間に流れる電流が交流電流である、
ことを特徴とする請求項１に記載された美容装置。
【請求項３】
前記プローブ面が、前記中央に向けて陥没する方向に傾斜して形成された、
ことを特徴とする請求項１または請求項２に記載された美容装置。
【発明の詳細な説明】
【技術分野】
【０００１】
本発明は、電流などによる刺激を生体に与えることで美容を促進させる美容装置に関するものである。
【背景技術】
【０００２】
従来、ラジオ波による美容施術において、肌に電流を流すことで、また、超音波による振動を肌に与えることで美容を促進させる装置として、例えば下記特許文献１に記載された美容器がある。この美容器によれば、肌との接触面であるプローブに、所定の間隔を空けて複数の電極が備えられている。電極間は、電極の配置によって間隔が異なり、例えば、２ｍｍから６ｍｍ程度のものや、６ｍｍから１２ｍｍ程度のものがある。電極の外周は、超音波による振動を発生させる超音波振動面が備えられている。超音波振動面は、電極の外周に設けられたことで面積が広くとられ、肌との接触面積が確保されている。
【先行技術文献】
【特許文献】
【０００３】
【特許文献１】登録実用新案第３１９２９７１号公報
【発明の概要】
【発明が解決しようとする課題】
【０００４】
しかし、上記したとおり、美容器は電極の配置によって間隔が異なるため、例えば顎のラインなどの角張った部位においては、電極の間隔の方が広い場合があり、プローブの当て方によっては、プローブと肌とが適切に接触しない場合がある。この場合、美容施術の効果が薄れる場合があり、その対策として該当部位が電極の間隔に収まるように、プローブが肌に強く押し付けられる場合もある。
【０００５】
また、部位と電極との接触位置によって電極間の間隔が異なり、流れる電流量が電極間毎に異なる場合がある。そのため、電気による加温が不均一となって美容施術にムラが生じる場合がある。
【０００６】
本発明は、上記の実情に鑑みて提案されたものである。すなわち、部位に関わらず安定した美容施術を実施することができ、安定した美容効果を実現することができる美容装置の提供を目的とする。
【課題を解決するための手段】
【０００７】
上記目的を達成するために、本発明に係る美容装置は、生体に当てられるプローブ面に、互いに極性が異なる一方電極と他方電極とが備えられた美容装置において、複数の前記一方電極が、前記プローブ面における一点から等距離に配置されると共に、隣接する前記一方電極同士が互いに等間隔に配置され、前記他方電極が、前記一方電極を中心とした円周上に沿って形成された、ことを特徴とする。
【０００８】
本発明に係る美容装置は、前記一方電極が前記プローブ面の周端部に備えられた、ことを特徴とする。
【０００９】
本発明に係る美容装置は、前記一方電極が円形であり、この一方電極が三つ備えられ、前記他方電極が、三つの前記一方電極同士の中心から、互いに隣接する二つの前記一方電極同士の中心に向けて伸びた形状である、ことを特徴とする。
【００１０】
本発明に係る美容装置は、前記一方電極および前記他方電極の端部を頂点とした正六角形が形成される配置で、かつ、前記一方電極と前記他方電極の端部とが互い違いに隣接して配置された、ことを特徴とする。
【００１１】
本発明に係る美容装置は、前記一方電極と前記他方電極との間に流れる電流が交流電流である、ことを特徴とする。
【００１２】
本発明に係る美容装置は、前記プローブ面が、前記プローブ面における一点に向けて傾斜して形成された、ことを特徴とする。
【発明の効果】
【００１３】
本発明に係る美容装置は、上記した構成である。この構成により、一方電極と他方電極との間隔がすべて同じとなるため、生体に当てる向きや角度にかかわらずプローブ面と生体との接触が適切となり、また、電極間を流れる電流量が一定となる。したがって、部位に関わらず安定した美容施術を実施することができ、安定した美容効果を実現することができる。
【００１４】
本発明に係る美容装置は、一方電極がプローブ面の周端部に備えられている。この構成により、生体のうち、窪んだ部位などにプローブ面の周端部が当てられ、生体に電極が接触する。したがって、部位に関わらず安定した美容施術を実施することができ、安定した美容効果を実現することができる。
【００１５】
なお、従来は、超音波振動面の配置が、電極の外周であるため、超音波振動面の面積が広くとられ、一方で、電極がプローブの端よりも中央寄りに配置されている。そのため、生体のうち、窪んだ部位にプローブを当てようとした場合、超音波振動面が先に当り、電極が届かない場合があった。
【００１６】
本発明に係る美容装置は、一方電極が円形であり、この一方電極が三つ備えられ、他方電極が、三つの一方電極同士の中心から、互いに隣接する二つの一方電極同士の中心に向けて伸びた形状である。この構成により、三つの一方電極に対して他方電極が単一で構成される。したがって、回路設計や回路配置が簡略化され、プローブ面の面積を小さくすることができ、様々な形状の部位に対応することができる。
【００１７】
また、異なる方向に湾曲した同じ間隔の電極間の形状が三箇所に形成されるため、様々な形状の部位に対し、様々な角度でプローブ面を当てることができ、プローブ面の当て方にかかわらず安定した美容効果を実現することができる。
【００１８】
本発明に係る美容装置は、一方電極および他方電極の端部を頂点とした正六角形が形成される配置で、かつ、一方電極と他方電極の端部とが互い違いに隣接して配置されている。この構成により、六辺に電極間が形成される。したがって、各辺を使って、様々な部位に、様々な角度でプローブ面を当てることができ、効率的に施術を実施することができる。また、プローブ面の当て方にかかわらず安定した美容効果を実現することができる。
【００１９】
本発明に係る美容装置は、一方電極と他方電極との間に流れる電流が交流電流である。したがって、生体に与える刺激を、交流電圧の周波数に応じて変化させることで、生体を活性化させて美容効果を実現することができる。
【００２０】
本発明に係る美容装置は、プローブ面が、このプローブ面における一点に向けて傾斜して形成されている。この構成により、生体のうち、湾曲した部位などにプローブ面が当てられた際、その部位に沿って電極が接触する。したがって、部位に関わらず安定した美容施術を実施することができ、安定した美容効果を実現することができる。
【図面の簡単な説明】
【００２１】
【図１】本発明の第一実施形態に係る美容装置が備えられた本体装置の斜視図である。
【図２】本発明の第一実施形態に係る美容装置の使用状態が示された説明図である。
【図３】本発明の第一実施形態に係る美容装置が示され、（ａ）が、斜視図、（ｂ）が上方から視した平面図、（ｃ）が、下方から視した底面図、（ｄ）が、右方から視した右側面図、（ｅ）が、背面から視した背面図、（ｆ）が、左方から視した左側面図、（ｇ）が、正面から視した正面図である。
【図４】本発明の第一実施形態に係る美容装置のプローブ面が拡大され、（ａ）が、正面拡大図、（ｂ）が、側面断面拡大図である。
【図５】本発明の第二実施形態に係る美容装置のプローブ面の拡大図である。
【発明を実施するための形態】
【００２２】
以下に、本発明の第一実施形態に係る美容装置１０を図面に基づいて説明する。図１は、本発明の実施形態に係る美容装置１０が接続された本体装置３が示されている。図２は、美容装置１０の使用状態が示されている。
【００２３】
図１に示されているとおり、本体装置３は、複数の美容装置が接続され、各美容装置が載置部に置かれている。各美容装置は、例えば、ラジオ波などによる刺激を被施術者２の肌に与えるもの（図２参照）、周波数を変化させるために電気をコントロールするもの、肌を温めるためのスチームを噴霧するもの、空圧でリンパマッサージを行うもの、化粧水などをミスト状に噴霧するもの、負圧によって毛穴の汚れや皮脂を吸引するもの、肌を洗浄するブラシを回転させるものなどがある。
【００２４】
そのうち、美容装置１０は、１ＭＨｚ程度のラジオ波を発生させて肌に電流を流し、矩形波交流電流を通電させることによって肌の内部を温めるものである。電気の出力は、１００％、８５％、７０％の三段階に切り替えられて間欠制御される。電流は交流電流であり、内部基盤上で随時監視され、通電がない場合は無負荷状態として認識され、一方、一定の通電がある場合は負荷状態として認識される。
【００２５】
ここで、美容装置１０を図面に基づいて詳説する。図３は、本発明の第一実施形態に係る美容装置１０が示され、図４は、美容装置１０のプローブ面１２が拡大されて示されている。
【００２６】
図３に示されているとおり、美容装置１０は、施術者１が把持する把持部１１の上方側の先端に、顔面の肌などに当てられるプローブ面１２が備えられ、このプローブ面１２に、互いに極性が異なる一方電極１４と他方電極２０とが備えられている。
【００２７】
図４（ａ）に示されているとおり、プローブ面１２は平坦であり、ほぼ六角形に形成されている。プローブ面１２における六角形の頂点近傍は周端部１３である。プローブ面１２に取り付けられてプローブ面１２よりもわずかに隆起した一方電極１４は、第一の一方電極１５、第二の一方電極１６、第三の一方電極１７の三つの端子から構成されている。各一方電極１４は、それぞれが円形であり、三つの各一方電極１４が、プローブ面１２の一点である中央から等距離に配置されると共に、正面から視して周方向に隣接する各一方電極１４が互いに等間隔に配置されて周端部１３に備えられたことで、各一方電極１４を頂点とした正三角形（正面から視して逆三角形）が形成されている。
【００２８】
他方電極２０は、漢字の「人」の字に近似した形状であり、各一方電極１４の間で、プローブ面１２の中心に配置されている。すなわち、他方電極２０は、各一方電極１４を中心とした円周上（図４における仮想線１００）に沿って形成され、三つの一方電極１４同士の中心（プローブ面１２の中央）から、互いに隣接する二つの一方電極１４同士の中心（第一の一方電極１５と第二の一方電極１６との間、第二の一方電極１６と第三の一方電極１７との間、第三の一方電極１７と第一の一方電極１５との間）に向けて、三方向に伸びて周端部１３に至る形状である。詳説すれば、他方電極２０は、第一の他方電極２１が、第三の一方電極１７と第一の一方電極１５との中心を通って配置され、第二の他方電極２２が、第一の一方電極１５と第二の一方電極１６との中心を通って配置され、第三の他方電極２３が、第二の一方電極１６と第三の一方電極１７との中心を通って配置されている。他方電極２０は中心（プローブ面１２の中央）で連なって形成され、他方電極２０同士の間隔（角度）は同じである。
【００２９】
ここで、図４（ｂ）に示されているとおり、プローブ面１２は、周端部１３からプローブ面１２における中央に向けて傾斜したすり鉢状（図４における仮想線１０２参照）に形成されていてもよく、プローブ面１２の形状に応じて、各電極１４，２０も、プローブ面１２の中央に向けて傾斜していてもよい。
【００３０】
各一方電極１４および他方電極２０の配置は、各一方電極１４および他方電極２０の端部を頂点とした正六角形が形成され、かつ、各一方電極１４と他方電極２０の端部とが互い違いに隣接して配置されている。すなわち、第一の他方電極２１の隣に第一の一方電極１５が配置され、この第一の一方電極１５の隣に第二の他方電極２２が配置され、この第二の他方電極２２の隣に第二の一方電極１６が配置され、この第二の一方電極１６の隣に第三の他方電極２３が配置され、この第三の他方電極２３の隣に第三の一方電極１７が配置され、この第三の一方電極１７の隣に第一の他方電極２１が配置されている。この様な構成から、各一方電極１４と他方電極２０との間隔１０１は、いずれも同じである。
【００３１】
上記したとおり、第一実施形態では、プローブ面１２は、各一方電極１４および他方電極２０の端部を頂点とした正六角形が形成されているが、例えば、正八角形であってもよい。ここで、第二実施形態を図面に基づいて説明する。図５は、第二実施形態に係る美容装置のプローブ面１１２が示されている。なお、以下では、第一実施形態と異なる構成のみが説明され、同様の構成は図面において同一の符号で示されて説明が適宜省略されている。
【００３２】
図５に示されているとおり、第二実施形態では、一方電極１４は、第一の一方電極１５、第二の一方電極１６、第三の一方電極１７、第四の一方電極１８の四つの端子から構成され、四つの各一方電極１４を頂点とした正方形が形成される間隔に配置されている。
【００３３】
他方電極２０は、漢字の「十」の字に近似した形状であり、四つの一方電極１４同士の中心（プローブ面１１２の中央）から、互いに隣接する二つの一方電極１４同士の中心に向けて、四方向に伸びて周端部１３に至る形状である。第一実施形態に加えて、第四の他方電極２４が、第三の一方電極１７と第四の一方電極１８との中心を通って配置されている。
【００３４】
各一方電極１４および他方電極２０の配置は、各一方電極１４および他方電極２０の端部を頂点とした正八角形が形成され、かつ、各一方電極１４と他方電極２０の端部とが互い違いに隣接して配置されている。この様な構成から、各一方電極１４と他方電極２０との間隔１０１は、いずれも同じである。
【００３５】
上記のとおり、第一実施形態および第二実施形態が構成されている。
【００３６】
次に、各実施形態の効果を説明する。
【００３７】
上記したとおり、第一実施形態によれば、一方電極１４は、第一の一方電極１５、第二の一方電極１６、第三の一方電極１７から構成され、各一方電極１４が互いに等間隔に配置されている。一方、他方電極２０は、各一方電極１４を中心とした円周上に沿って形成され、三つの一方電極１４同士の中心（プローブ面１２の中央）から、互いに隣接する二つの一方電極１４同士の中心に向けて三方向に伸びた形状であり、第一の他方電極２１が、第三の一方電極１７と第一の一方電極１５との中心を通って配置され、第二の他方電極２２が、第一の一方電極１５と第二の一方電極１６との中心を通って配置され、第三の他方電極２３が、第二の一方電極１６と第三の一方電極１７との中心を通って配置されている。
【００３８】
この構成により、各一方電極１４と他方電極２０との間隔１０１がすべて同じとなるため、肌に当てる向きや角度にかかわらずプローブ面１２と肌との接触が適切となり、また、各電極１４，２０間を流れる電流量が一定となる。したがって、部位に関わらず安定した美容施術を実施することができ、安定した美容効果を実現することができる。
【００３９】
また、異なる方向に湾曲した同じ間隔の各電極１４，２０間の形状が三箇所に形成されるため、様々な形状の部位に対し、様々な角度でプローブ面１２を当てることができ、プローブ面１２の当て方にかかわらず安定した美容効果を実現することができる。
【００４０】
さらに、三つの一方電極１５，１６，１７に対して他方電極２０が単一で構成されている。したがって、回路設計や回路配置が簡略化され、プローブ面１２の面積を小さくすることができ、様々な形状の部位に対応することができる。
【００４１】
第一実施形態によれば、各一方電極１４は、プローブ面１２の周端部１３に備えられ、一方、他方電極２０もプローブ面１２の周端部１３に至っている。この構成により、例えば小鼻などの窪んだ部位などにプローブ面１２の周端部１３が当てられ、小鼻に各電極１４，２０が接触する。したがって、部位に関わらず安定した美容施術を実施することができ、安定した美容効果を実現することができる。
【００４２】
第一実施形態によれば、各一方電極１４および他方電極２０の配置は、各一方電極１４および他方電極２０の端部を頂点とした正六角形が形成され、かつ、各一方電極１４と他方電極２０の端部とが互い違いに隣接して配置されている。この構成により、六辺に各電極１４，２０間が形成される。したがって、各辺を使って、様々な部位に、様々な角度でプローブ面１２を当てることができ、効率的に施術を実施することができる。また、プローブ面１２の当て方にかかわらず安定した美容効果を実現することができる。
【００４３】
第一実施形態によれば、各電極１４，２０間を流れる電流は交流電流である。したがって、肌に与える刺激を、交流電圧の周波数に応じて変化させることで、肌を活性化させて美容効果を実現することができる。
【００４４】
第一実施形態によれば、プローブ面１２は、周端部１３からプローブ面１２における中央に向けて傾斜したすり鉢状に形成されている。この構成により、例えは顎先などの、湾曲した部位などにプローブ面１２が当てられた際、顎先に沿って各電極１４，２０が接触する。したがって、部位に関わらず安定した美容施術を実施することができ、安定した美容効果を実現することができる。
【００４５】
第二実施形態によれば、一方電極１４は、第一の一方電極１５、第二の一方電極１６、第三の一方電極１７、第四の一方電極１８の四つの端子から構成され、四つの各一方電極１４を頂点とした正方形が形成される間隔に配置されている。一方、他方電極２０は、四つの各一方電極１４同士の中心（プローブ面１１２の中央）から、互いに隣接する二つの一方電極１４同士の中心に向けて伸びた形状である。各一方電極１４および他方電極２０の配置は、各一方電極１４および他方電極２０の端部を頂点とした正八角形が形成され、かつ、各一方電極１４と他方電極２０の端部とが互い違いに隣接して配置されている。したがって、上記した第一実施形態による効果を実現することができ、さらに、八つの各辺を使って、様々な部位の細部に、様々な角度でプローブ面１２を当てることができる。
【００４６】
なお、上記したとおり、一方電極１４は三つまたは四つであることが好ましいが、プローブ面１２が適切な大きさに確保され、電極１４，２０間が適切な間隔に確保されるのであれば、五つ以上であってもよい。
【００４７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４８】
１                施術者
２                被施術者
３                本体装置
１０              美容装置
１１              把持部
１２，１１２      プローブ面
１３              周端部
１４              一方電極
１５              第一の一方電極
１６              第二の一方電極
１７              第三の一方電極
１８              第四の一方電極
２０              他方電極
２１              第一の他方電極
２２              第二の他方電極
２３              第三の他方電極
２４              第四の他方電極
１００，１０２    仮想線
１０１            間隔
【図１】
0006584279.tif 000002
【図２】
0006584279.tif 000003
【図３】
0006584279.tif 000004
【図４】
0006584279.tif 000005
【図５】
0006584279.tif 000006